(57)【要約】    【課題】  誤訂正確率を低減させながら、訂正距離を増加させることが可能となる再生装置、再生方法およびプログラムを提供する。    【解決手段】  エラー訂正処理回路３は、再生時に読み出したデータをリアルタイムにＣ１訂正し、Ｃ１方向にエラーが存在しないか、エラー訂正が可能なときのみ、訂正済みのＯＷＰを利用し、セクタ毎にＯＷＰの出現頻度（ヒストグラム）を計算する。なお、Ｃ１方向にエラーがあるときには、ＯＷＰの出現頻度の計算は行わない。システム制御回路６は、ＯＷＰの出現頻度から確からしいＯＷＰの値を判定し、積符号訂正後、訂正状況に応じてエラー制御を行う。【選択図】    図９
2006277842.tif 000002
【特許請求の範囲】
【請求項１】
シーン毎に異なる値が設定される識別データを含む情報データに対して、積符号構成のエラー訂正符号化処理を施して記録した記録媒体より前記情報データを再生する再生手段と、
該再生手段により再生された情報データに対してエラー訂正復号化処理を施すエラー訂正処理手段と
を有し、
前記エラー訂正処理手段は、Ｃ１方向にエラーがない情報データに含まれる識別データに基づいて、Ｃ２方向のエラー位置を検出する
ことを特徴とする再生装置。
【請求項２】
前記エラー訂正処理手段は、
前記再生手段によって再生された情報データをリアルタイムにＣ１訂正する訂正手段と、
該訂正手段によりＣ１訂正が可能な情報データまたはＣ１方向にエラーが存在しない情報データに含まれる識別データの値の出現頻度を算出する算出手段と、
該算出手段によって算出された値の出現頻度に基づいて、確からしい識別データの値を判定する判定手段と
を有し、
前記判定手段によって判定された識別データの値に基づいて、Ｃ２方向のエラー位置を検出する
ことを特徴とする請求項１に記載の再生装置。
【請求項３】
前記算出手段は、前記訂正手段によりＣ１訂正が不可能な情報データに含まれる識別データの値の出現頻度を算出しないことを特徴とする請求項２に記載の再生装置。
【請求項４】
前記記録媒体は磁気テープであり、前記再生手段は前記磁気テープ上の多数の斜めトラックを走査して前記情報データを読み取る回転ヘッドを含むことを特徴とする請求項１に記載の再生装置。
【請求項５】
シーン毎に異なる値が設定される識別データを含む情報データに対して、積符号構成のエラー訂正符号化処理を施して記録した記録媒体より前記情報データを再生する再生ステップと、
該再生ステップにより再生された情報データに対してエラー訂正復号化処理を施すエラー訂正処理ステップと
を有し、
前記エラー訂正処理ステップは、Ｃ１方向にエラーがない情報データに含まれる識別データに基づいて、Ｃ２方向のエラー位置を検出する
ことを特徴とする再生方法。
【請求項６】
請求項５に記載の再生方法を、コンピュータに実行させるためのプログラム。
【発明の詳細な説明】
【技術分野】
【０００１】
本発明は、情報データをデジタルデータとして記録した記録媒体から、該記録されたデジタルデータを再生する再生装置、再生方法およびプログラムに関する。
【背景技術】
【０００２】
情報データをデジタルデータとして磁気記録媒体に記録し、該記録されたデジタルデータを再生する記録再生装置として、デジタルＶＴＲが知られている。デジタルＶＴＲにおいては、磁気記録ヘッドの瞬間的な目詰まりや磁気テープ上のごみ等の影響により、磁気記録ヘッドが磁気テープ上を走査したにもかかわらず、磁気テープ上に未記録領域が発生し、記録データが正常に磁気テープに記録されない場合がある。
【０００３】
特に、既に情報データが記録されている磁気テープに新たに情報データを上書き記録する場合に、磁気記録ヘッドの目詰まりにより、磁気テープ上に未記録領域が発生すると、再生時に下地の情報データが再生されることになる。
【０００４】
また、デジタルＶＴＲでは一般に、再生時のエラー訂正のため、リードソロモン積符号などを用いたエラー訂正符号化処理を施して情報データを記録しているが、磁気記録ヘッドの目詰まりにより下地の情報データがそのまま再生された場合には、記録方向と同じ方向（例えば、積符号構成におけるＣ１方向）の訂正符号ではエラーが検出できず、それと直交する方向（例えば、積符号構成におけるＣ２方向）で訂正する必要がある。
【０００５】
また、エラー訂正符号だけでなく、記録時に付加された、シーン毎に異なる値が設定された識別フラグを用いてエラー訂正処理を行う技術が知られており、この種の技術として、上書きする情報データと上書きされる下地の情報データとの間で、異なった値が設定された識別フラグの値により、Ｃ２方向のエラーを訂正するための消失フラグを設定し、Ｃ２方向のエラー訂正能力を高める方法が提案されている（例えば、特許文献１参照）。
【特許文献１】特開２００４−５５０９１号公報
【発明の開示】
【発明が解決しようとする課題】
【０００６】
しかし、上記従来の方法では、消失訂正の訂正可能限界距離は最小符号距離と一致するので、該当シンクブロック内にエラーが確実に存在する場合には、ランダム訂正（誤り位置を指定しない訂正）に比較して最大２倍の訂正能力を有する反面、該当シンクブロック内にエラーが存在しない場合には、訂正距離限界（最小符号距離）で消失訂正を行うことは、誤訂正確率を飛躍的に増大させるという問題がある。
【０００７】
また、ランダム訂正と、バースト訂正に有効な消失訂正とは、トレードオフの関係にあり、消失訂正に使用される訂正距離を増やすこと、すなわち消失訂正フラグを増やすことは、ランダム訂正能力を下げるという問題がある。
【０００８】
本発明は、これらの問題に着目してなされたものであり、誤訂正確率を低減させながら、訂正距離を増加させることが可能となる再生装置、再生方法およびプログラムを提供することを目的とする。
【課題を解決するための手段】
【０００９】
上記目的を達成するため、請求項１に記載の再生装置は、シーン毎に異なる値が設定される識別データを含む情報データに対して、積符号構成のエラー訂正符号化処理を施して記録した記録媒体より前記情報データを再生する再生手段と、該再生手段により再生された情報データに対してエラー訂正復号化処理を施すエラー訂正処理手段とを有し、前記エラー訂正処理手段は、Ｃ１方向にエラーがない情報データに含まれる識別データに基づいて、Ｃ２方向のエラー位置を検出することを特徴とする。
【００１０】
上記目的を達成するため、請求項５に記載の再生方法は、シーン毎に異なる値が設定される識別データを含む情報データに対して、積符号構成のエラー訂正符号化処理を施して記録した記録媒体より前記情報データを再生する再生ステップと、該再生ステップにより再生された情報データに対してエラー訂正復号化処理を施すエラー訂正処理ステップとを有し、前記エラー訂正処理ステップは、Ｃ１方向にエラーがない情報データに含まれる識別データに基づいて、Ｃ２方向のエラー位置を検出することを特徴とする。
【発明の効果】
【００１１】
本発明によれば、磁気記録ヘッドが磁気記録媒体上を走査したにもかかわらず未記録領域が発生し、記録データが正常に磁気記録媒体に記録されない場合に対応しながら、誤訂正確率を低減させ、実質的にリードソロモンの積符号の訂正限界に近いエラー訂正を実現することができる。
【発明を実施するための最良の形態】
【００１２】
以下、本発明の実施の形態を図面に基づいて詳細に説明する。
【００１３】
図１は、本発明の一実施の形態に係る再生装置を適用したデジタルＶＴＲ１の概略構成を示すブロック図である。
【００１４】
同図において、デジタルＶＴＲ１は、主として、磁気テープ１００上に形成された多数のヘリカルトラックを回転ヘッド（図示せず）によって走査することで画像データを再生する再生回路２と、再生された画像データに対して、後述するエラー訂正処理を施すエラー訂正処理回路３と、エラー訂正処理された画像データを復号する復号回路４と、復号された画像データを外部のモニタなどに出力する出力回路５と、各部を制御するシステム制御回路６と、各種のスイッチを備えた操作部７とによって構成されている。
【００１５】
本実施の形態では、所定量の符号化された画像データ毎にリードソロモン積符号によるエラー訂正符号化処理が施され、更に、Ｃ１方向に対してシンクデータや各種の付加データが付加されて、シンクブロックが形成され、シンクブロック毎に磁気テープ１００上に記録されている。また、画像データのシーン毎に異なる値を持ち、隣接するシーン間でも異なる値を持つＯＷＰ（Over Write Protection）フラグと呼ばれるフラグデータが、画像データと共に記録されている。
【００１６】
図２は、磁気テープ１００上に記録された画像データに新しい画像データを上書きする様子を示しており、同図には、磁気テープ１００上に、ＯＷＰ＝１，ＯＷＰ＝２およびＯＷＰ＝３である各画像データが記録されていて、ＯＷＰ＝４である画像データを上書き記録しようとしている様子が記載されている。ＯＷＰ＝１およびＯＷＰ＝２である各画像データに対して、上書きが禁止されている場合には、ＯＷＰ＝３である画像データの記録位置に、ＯＷＰ＝４である画像データ、すなわち新しい画像データが上書きされる。
【００１７】
図３は、図２のように、ＯＷＰ＝３である画像データの記録位置にＯＷＰ＝４である画像データを上書き記録したときに、ヘッドの間詰まりなどにより新しいデータが正常に磁気テープ上に記録されず、未記録領域１００ａが発生した様子を表している。この未記録領域１００ａにはＯＷＰが３である下地のデータがそのまま残ってしまい、図３に示すように、ＯＷＰ＝４である画像データ中に下地の画像データ（ＯＷＰ＝３）が紛れ込んでいる。
【００１８】
図４は、図３のように未記録領域が入り込んだ場合のセクタ上でのイメージを示す図である。
【００１９】
図４に示すように、ＯＷＰ＝３であるシンクブロックがセクタ上に紛れ込んでおり、下地データであるＯＷＰ＝３のシンクブロックのデータは本来はエラーとして検出しなければならない。しかしながら、ＯＷＰ３の下地データはシンクブロックの全てのデータがそのまま残っているので、ヘッドの走査方向（記録方向）であるＣ１パリティによるエラー訂正復号処理を行ってもエラーなしと判定されてしまう。そのため、この下地データのエラーは、ヘッド走査方向に直行する方向のＣ２パリティによるエラー訂正復号処理でしか検出できない。
【００２０】
そこで、本実施の形態では、後述するように、リアルタイムＣ１訂正時にＣ１方向にエラーがないＯＷＰのみで、ヒストグラムを形成し、このヒストグラムを用いてエラー検出を行っている。
【００２１】
図５は、シンクブロックのデータ構造の一例を示す図である。
【００２２】
同図に示すように、シンクブロックデータは、トラックナンバ（ＴｒｋＮ）、シンクブロックナンバ（ＳｙｎｃＮ）およびＯＷＰフラグからなるフラグデータと、画像データや音声データなどの本データと、Ｃ１パリティ部とによって構成されている。
【００２３】
Ｃ１リアルタイム訂正時に、Ｃ１訂正が可能な場合には、訂正済みのトラックナンバとシンクブロックナンバによって計算された、メモリ上のアドレスに訂正済みのシンクブロックデータが転送される。一方、Ｃ１訂正が不可能な場合には、以前に転送されたシンクブロックデータのトラックナンバとシンクブロックナンバから、連続性を利用して現在のシンクブロックデータのトラックナンバとシンクブロックナンバを類推する。そして、類推した値に基づいて計算された、メモリ上のアドレスにシンクブロックデータが転送される。
【００２４】
図６は、セクタのデータ構造の一例を示す図である。
【００２５】
同図に示すように、１つのセクタは、複数のシンクブロックから構成されている。そして、ヘッド走査方向（記録方向）にＣ１パリティが付加され、Ｃ１方向に直行する方向にＣ２パリティが付加されている。
【００２６】
図７は、リアルタイムＣ１訂正後のシンクブロックのデータ構造を示す図である。
【００２７】
同図に示すように、Ｃ１訂正時にメモリ上にシンクブロックデータが書き込まれたことを示すＣ１アップデートフラグ（Ｃ１Ｕｐ）と、Ｃ１訂正されたことを示すＣ１訂正フラグ（Ｃ１Ｆｌｇ）が、シンクブロックのフラグデータとして付加される。Ｃ１アップデートフラグとＣ１訂正フラグは、リアルタイムＣ１訂正に続く積符号訂正時、最初のＣ２訂正で消失フラグとして利用される。また、Ｃ１パリティ部に代わり、リアルタイムＣ１訂正時に計算されたＣ１シンドローム係数のデータがシンクブロックデータの一部を構成する。なお、Ｃ１シンドロームデータは、リアルタイムＣ１訂正がなされたときには“０”に設定される。
【００２８】
図８は、積符号訂正後のシンクブロックのデータ構造を示す図である。
【００２９】
積符号訂正がなされると、同図に示すように、シンクブロックのフラグデータとして、積符号訂正が終了したことを示すＣ２アップデートフラグ（Ｃ２Ｕｐ）と、積符号で訂正できたことを示す積符号訂正フラグ（Ｃ２Ｆｌｇ）と、誤訂正存在確率の有無を示す誤訂正存在確率フラグ（Ｓｙｓ）が付加される。この後の処理で、Ｃ２アップデートフラグに基づいて、積符号訂正が終了したことを認識し、誤訂正存在確率フラグ、積符号訂正フラグ、Ｃ１訂正フラグおよびＯＷＰに基づいて、エラー処理を行う。
【００３０】
図９は、エラー訂正処理回路３とシステム制御回路６が実行するエラー訂正処理を説明するための機能ブロック図である。
【００３１】
同図に示すように、エラー訂正処理回路３は、リアルタイムＣ１訂正処理部３ａ、メモリ３ｂおよび積符号訂正部３ｃによって構成される。
【００３２】
前記図５および図６で示したデータ構造を持つシンクブロックデータが、リアルタイムＣ１訂正処理部３ａに入力され、リアルタイムでＣ１訂正処理がなされる。そして、Ｃ１訂正が可能な場合には、訂正後のトラックナンバとシンクブロックナンバに基づいて計算された、メモリ３ｂ上のアドレスに、訂正後のシンクブロックデータが転送される。一方、Ｃ１訂正が不可能な場合には、以前に転送されたシンクブロックデータのトラックナンバとシンクブロックナンバに基づいて、連続性を利用して現在のシンクブロックデータのトラックナンバとシンクブロックナンバを類推し、類推した値に基づいて計算された、メモリ３ｂ上のアドレスにシンクブロックデータが転送される。前記図７が、メモリ３ｂ上のデータ構造を表している。
【００３３】
同時に、リアルタイムＣ１訂正時にＣ１にエラーがないＯＷＰによりヒストグラムが形成され、形成されたヒストグラムがシステム制御回路６に転送される。メモリ３ｂに記憶されたＣ１訂正処理済みのデータは、読み出されて積符号訂正部３ｃに入力される。Ｃ１アップデートフラグとＣ１訂正フラグは、最初のＣ２訂正で消失フラグとして利用される。積符号訂正後、そのデータは、メモリ３ｂに書き込まれる。前記図８が、積符号訂正処理後にメモリ３ｂに書き込まれるデータ構造を表している。なお、メモリ３ｂは、Ｃ１訂正処理済みのデータ記憶領域と、積符号訂正済みのデータ記憶領域とを有している。積符号訂正処理されたデータは、システム制御回路６によって有効なデータであるか否かの識別が行われ、次の処理に移る。
【００３４】
図１０は、エラー訂正処理の手順を示すフローチャートである。
【００３５】
同図において、まず、ステップＳ１では、前記図５および図６に示す形式の再生データを読み出す。
【００３６】
次に、ステップＳ２では、この読み出したデータに対してリアルタイムＣ１訂正を行い、ステップＳ３では、Ｃ１訂正可能であるか否かを判定する。
【００３７】
ステップＳ３で、Ｃ１訂正可能であると判定された場合には、ステップＳ４に進み、訂正されたＯＷＰの値に基づいてヒストグラムを計算する一方、Ｃ１訂正不可能であると判定された場合には、ステップＳ５に進み、連続性を利用して、トラックナンバとシンクブロックナンバを類推する。
【００３８】
続くステップＳ６では、トラックナンバとシンクブロックナンバから、データを書き込むメモリ３ｂ上のアドレスを計算し、ステップＳ７では、そのアドレスに、前記図７に示す形式でデータを書き込む。
【００３９】
ステップＳ８では、積符号訂正を行うために、メモリ３ｂから図７に示す形式のデータを読み出し、ステップＳ９では、積符号訂正を行う。
【００４０】
続くステップＳ１０では、積符号訂正されたデータを前記図８に示す形式でメモリ３ｂに書き込み、ステップＳ１１では、Ｃ２方向のエラーの有無を判定する。ステップＳ１１で、エラーがないと判定された場合には、ステップＳ１２に進み、Ｃ１方向のエラーと誤訂正確率の有無を判定する。ステップＳ１２で、Ｃ１方向にエラーがあり、誤訂正確率があると判定された場合には、ステップＳ１３に進み、本データの内容に応じた処理を行う一方、Ｃ１方向にエラーがない、または誤訂正確率がないと判定された場合には、ステップＳ１４に進み、通常処理を行う。
【００４１】
一方、ステップＳ１１で、Ｃ２方向にエラーがあると判定された場合には、ステップＳ１５に進み、Ｃ１方向のエラーの有無を判定する。ステップＳ１５で、Ｃ１方向にエラーがないと判定された場合には、ステップＳ１６に進み、システム制御回路６によって確からしいと判定されたＯＷＰの値に基づいてＯＷＰの判定を行う。ステップＳ１６で、ＯＷＰの値が一致していた場合には、ステップＳ１４に進み、通常処理を行う一方、ＯＷＰの値が異なっていた場合には、ステップＳ１７に進み、エラー処理を行う。
【００４２】
一方、ステップＳ１５で、Ｃ１方向にエラーがあると判定された場合には、ステップＳ１９に進み、エラー処理を行った後、本エラー訂正処理を終了する。
【００４３】
以上のエラー訂正処理をまとめると、次のようになる。
【００４４】
（１）エラー訂正処理回路３は、再生時に読み出したデータをリアルタイムにＣ１訂正し、Ｃ１方向にエラーが存在しないか、エラー訂正が可能なときのみ、訂正済みのＯＷＰを利用し、セクタ毎にＯＷＰの出現頻度（ヒストグラム）を計算する。なお、Ｃ１方向にエラーがあるときには、ＯＷＰの出現頻度の計算は行わない。システム制御回路６は、ＯＷＰの出現頻度から確からしいＯＷＰの値を判定し、積符号訂正後、訂正状況に応じてエラー制御を行う。
【００４５】
（２）シンクブロック毎にリアルタイムにＣ１訂正後、積符号の復号のため、本データ、ＯＷＰ、Ｃ２パリティおよびＣ１シンドローム多項式係数をメモリ３ｂに一時保存する。そして、Ｃ１訂正可能な場合には、シンクブロックのフラグデータであるトラックナンバとシンクブロックナンバによって、メモリ３ｂ上のアドレスを算出し、そのアドレスにデータを保存する一方、Ｃ１訂正不可能な場合には、以前のシンクブロックのトラックナンバとシンクブロックナンバから、連続性を用いて現在のトラックナンバとシンクブロックナンバを類推し、類推した値によって、メモリ３ｂ上のアドレスを算出し、そのアドレスにデータを保存する。そして、シンクブロックのフラグデータとして、新たにＣ１訂正フラグを付加し、Ｃ１訂正不能となった場合や、下地のデータが存在したためにＣ１訂正可能となった場合などで、不連続なシンクブロックナンバが発生したときに、メモリ３ｂ上で識別できるようにシンクブロックのフラグデータとして、新たにＣ１アップデートフラグを付加する。
【００４６】
（３）Ｃ１訂正フラグとＣ１アップデートフラグを、繰り返し積符号訂正時の最初のＣ２訂正消失フラグとして利用し、積符号のＣ１シンドローム係数は、リアルタイムＣ１訂正時に計算されたデータを利用する。Ｃ１方向とＣ２方向で保護している領域に違いがあり、誤訂正以外にも、Ｃ２方向は全て訂正され、かつＣ１方向にエラーが存在する場合があるので、Ｃ２方向が全て訂正され、かつＣ１方向の訂正不能箇所がＣ２方向の訂正距離限界未満になるまで、積符号の繰り返し訂正を継続する。Ｃ２方向が全て訂正され、かつＣ１方向の訂正不能箇所がＣ２方向の訂正距離限界を超えている場合、Ｃ１方向のランダム訂正を行い、Ｃ１方向のランダム訂正後もＣ２方向が全て訂正され、かつＣ１方向の訂正不能箇所がＣ２方向の訂正距離限界を超えているときは、原理的にＣ１訂正不能であり、かつ本データに誤訂正が存在する確率が高いため、訂正処理を終了し、本データ内に誤訂正確率があることをシステム制御回路６に知らせる。そして、積符号訂正の可否と積符号の訂正が終了したことを識別する積符号アップデートフラグと、誤訂正確率存在フラグを、新たにシンクブロックのフラグとして、追加記録する。
【００４７】
（４）積符号アップデートフラグにより積符号訂正の終了が認識され、積符号訂正後に、Ｃ２方向が全て訂正され、かつ誤訂正確率が存在しない場合には、本データにエラーが存在しないと判定する。また、Ｃ２方向が全て訂正され、かつ誤訂正確率が存在する場合には、Ｃ１訂正不能フラグが立っているシンクブロックに対して本データに応じたエラー処理を行う。また、Ｃ２方向が全ては訂正されず、かつＣ１訂正不能か、Ｃ２方向が全ては訂正されず、かつＣ１訂正されており、かつ前記（１）でシステム制御回路６によって判定された確からしいＯＷＰの値と不一致である場合には、そのシンクブロックに対してのみ、エラーが存在すると判定する。
【００４８】
なお、上述した実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００４９】
この場合、記憶媒体から読出されたプログラムコード自体が本発明の新規な機能を実現することになり、そのプログラムコードを記憶した記憶媒体は本発明を構成することになる。
【００５０】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００５１】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００５２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施の形態の機能が実現される場合も含まれることは言うまでもない。
【図面の簡単な説明】
【００５３】
【図１】本発明の一実施の形態に係る記録再生装置を適用したデジタルＶＴＲの概略構成を示すブロック図である。
【図２】磁気テープ上に記録された画像データに新しい画像データを上書きする様子を示す図である。
【図３】図２のように、ＯＷＰ＝３である画像データの記録位置にＯＷＰ＝４である画像データを上書き記録したときに、未記録領域が発生し、新しい画像データが正常に磁気テープ上に記録されない様子を示す図である。
【図４】図３のように未記録領域が入り込んだ場合のセクタ上でのイメージを示す図である。
【図５】再生データのシンクブロックのデータ構造の一例を示す図である。
【図６】再生データのセクタのデータ構造一例を示す図である。
【図７】リアルタイムＣ１訂正後のシンクブロックのデータ構造を示す図である。
【図８】積符号訂正後のシンクブロックのデータ構造を示す図である。
【図９】図１のエラー訂正処理回路とシステム制御回路が実行するエラー訂正処理を説明するための機能ブロック図である。
【図１０】エラー訂正処理の手順を示すフローチャートである。
【符号の説明】
【００５４】
１  デジタルＶＴＲ
２  再生回路
３  エラー訂正処理回路
３ａ  リアルタイムＣ１訂正処理部
３ｂ  メモリ
３ｃ  積符号訂正部
４  復号回路
５  出力回路
６  システム制御回路
７  操作部
１００  磁気テープ
【図１】
2006277842.tif 000003
【図２】
2006277842.tif 000004
【図３】
2006277842.tif 000005
【図４】
2006277842.tif 000006
【図５】
2006277842.tif 000007
【図６】
2006277842.tif 000008
【図７】
2006277842.tif 000009
【図８】
2006277842.tif 000010
【図９】
2006277842.tif 000011
【図１０】
2006277842.tif 000012